(57)【要約】【課題】チャンネルの順選局時に、番組が放送されている所望のチャンネルへの切り替えを迅速に行うことができるデジタル放送受信装置を提供する。【解決手段】デジタル放送のチャンネルの順選局指示時に、次の選局予定チャンネルの放送形態がテレビ放送若しくはラジオ放送でない場合、または選局予定チャンネルの放送形態がテレビ放送若しくはラジオ放送であり、かつ選局予定チャンネルの現在の番組のストリーム種別として映像ストリームと音声ストリームの少なくとも一方が検出された場合に、選局予定チャンネルを選局する。また、選局予定チャンネルの放送形態がテレビ放送若しくはラジオ放送であり、かつ選局予定チャンネルの現在の番組のストリーム種別が検出されなかった場合、または該ストリーム種別としてデータストリームだけが検出された場合に、選局予定チャンネルの選局をスキップして、選局予定チャンネルを次のチャンネルに切り替える。【選択図】図４
2008294871.tif 000002
【特許請求の範囲】
【請求項１】
デジタル放送の各チャンネルを選局し、前記各チャンネルの放送信号を受信する選局手段と、前記チャンネルを番号の順に選局する指示を入力する順選局指示手段と、前記放送信号を処理して映像ストリーム、音声ストリーム、データストリーム、および付帯情報を検出する検出手段と、前記映像ストリーム、前記音声ストリーム、および前記データストリームを処理して映像信号と音声信号を出力する出力手段とを備えたデジタル放送受信装置において、
前記検出手段は、前記付帯情報から前記各チャンネルの放送形態と、前記各チャンネルの現在の番組のストリーム種別とを検出し、
前記順選局指示手段による前記チャンネルの順選局指示の入力時に、
次に選局する予定にある選局予定チャンネルの放送形態がテレビ放送若しくはラジオ放送でない場合、または前記選局予定チャンネルの放送形態がテレビ放送若しくはラジオ放送であり、かつ前記選局予定チャンネルの現在の番組のストリーム種別として前記映像ストリームと前記音声ストリームの少なくとも一方が検出された場合に、前記選局手段は前記選局予定チャンネルを選局し、
前記選局予定チャンネルの放送形態がテレビ放送若しくはラジオ放送であり、かつ前記選局予定チャンネルの現在の番組のストリーム種別が検出されなかった場合、または該ストリーム種別として前記データストリームだけが検出された場合に、前記選局手段は前記選局予定チャンネルを選局せずに、前記選局予定チャンネルを次のチャンネルに切り替えることを特徴とするデジタル放送受信装置。
【請求項２】
請求項１に記載のデジタル放送受信装置において、
前記検出手段は、予め前記付帯情報から前記各チャンネルの放送形態を検出して、前記チャンネル毎に記憶手段に記憶することを特徴とするデジタル放送受信装置。
【請求項３】
請求項１または請求項２に記載のデジタル放送受信装置において、
前記検出手段は、前記チャンネルの順選局指示の入力時に、前記選局予定チャンネルに対応する前記付帯情報から前記選局予定チャンネルの現在の番組のストリーム種別を検出することを特徴とするデジタル放送受信装置。
【請求項４】
ＤＶＢ ＳＩ（Digital Video Broadcast Service Information）規格に準拠したデジタル放送の各チャンネルを選局し、前記各チャンネルの放送信号を受信する選局手段と、前記チャンネルを番号の昇順に選局する指示を入力するチャンネルアップキーと、前記チャンネルを番号の降順に選局する指示を入力するチャンネルダウンキーと、前記放送信号を処理してＴＳ（Transport Stream）を検出し、該ＴＳから映像ストリーム、音声ストリーム、ＭＨＥＧ（Multimedia and Hypermedia information coding Experts Group）データストリーム、およびＰＳＩ（Program Specific Information）／ＳＩ（Service Information）を検出する検出手段と、前記映像ストリーム、前記音声ストリーム、および前記ＭＨＥＧデータストリームを処理して映像信号と音声信号を出力する出力手段と、前記映像信号に基づく映像を表示する映像表示手段と、前記音声信号に基づく音声を出力する音声出力手段とを備えたデジタル放送受信装置において、
前記検出手段は、
起動時または定期的に、検出した前記ＴＳの前記ＳＩからＮＩＴ（Network Information Table）を検出し、該ＮＩＴから前記各チャンネルの放送形態を検出して、該情報を前記チャンネル毎に記憶手段に記憶し、
前記チャンネルアップキーまたは前記チャンネルダウンキーによる前記チャンネルの順選局指示の入力時に、検出した前記ＴＳの前記ＰＳＩから次に選局する予定にある選局予定チャンネルのＰＭＴ（Program Map Table）を検出し、該ＰＭＴから前記選局予定チャンネルの現在の番組のストリーム種別を検出し、
前記選局手段は、前記チャンネルの順選局指示の入力時に、
前記選局予定チャンネルの放送形態がテレビ放送若しくはラジオ放送でない場合、または前記選局予定チャンネルの放送形態がテレビ放送若しくはラジオ放送であり、かつ前記選局予定チャンネルの現在の番組のストリーム種別として映像ストリームと音声ストリームの少なくとも一方が検出された場合に、前記選局予定チャンネルを選局し、
前記選局予定チャンネルの放送形態がテレビ放送若しくはラジオ放送であり、かつ前記選局予定チャンネルの現在の番組のストリーム種別が検出されなかった場合、または該ストリーム種別としてデータストリームだけが検出された場合に、前記選局予定チャンネルの選局をスキップして、前記選局予定チャンネルを次のチャンネルに切り替えることを特徴とするデジタル放送受信装置。
【発明の詳細な説明】
【技術分野】
【０００１】
本発明は、チャンネルを番号の順に選局するデジタル放送受信装置に関するものである。
【背景技術】
【０００２】
デジタル放送受信装置において、チャンネルを切り替える際には、選局するチャンネルを１つだけ指定するチャンネルキーか、チャンネルを番号の昇順または降順に選局することを指示するチャンネルアップ／ダウンキー（チャンネルアップキーまたはチャンネルダウンキー）を操作する。以下において、チャンネルの切り替えとは、ディスプレイやスピーカ等に出力する映像信号や音声信号を、あるチャンネルのものから別のチャンネルのものに切り替えることである。チャンネルの選局とは、あるチャンネルの放送信号を受信して、該放送信号からあるチャンネルで放送されている映像や音声やデータを検出し、これらを表示するための映像信号や音声信号をディスプレイやスピーカ等に出力することである。
【０００３】
一般にデジタル放送では、アナログ放送に比べて、チャンネル数が多くなっている。このため、デジタル放送受信装置において、デジタル放送の所望のチャンネルへの切り替え操作にチャンネルアップ／ダウンキーを用いると、番組が放送されていないチャンネルまで選局してしまい、所望のチャンネルへの切り替えに時間がかかるという問題があった。
【０００４】
一方、所望のチャンネルへの切り替えを迅速にするため、下記の特許文献１に記載されているデジタル放送受信装置では、ある時間間隔で、デジタル放送の各チャンネルのＴＳ（Transport Stream）から各チャンネルに関する情報（放送の実行または休止等）を抽出して、該情報を所定のテーブルに書き込む。そして、チャンネルのアップまたはダウンの信号を受けると、上記テーブルを参照して、次に選局する予定のチャンネルがある条件に当てはまれば（放送中である等）、該チャンネルを選局し、該チャンネルがある条件に当てはまらなければ（放送休止中である等）、該チャンネルの選局を避ける。
【０００５】
また、下記の特許文献２に記載されているデジタル放送受信装置では、デジタル放送の各チャンネルの放送信号を受信して、該放送信号からタグ情報を検出し、放送休止情報が含まれていないタグ情報に対応するチャンネルを放送中と判断して、該チャンネルを視聴可能チャンネルリストに格納する。そして、ユーザの要求に応じたチャンネルの選局時に、視聴可能チャンネルリストに格納されたチャンネルのみを選局し、放送休止中であるにもかかわらず、試験放送等を行っている視聴不可能なチャンネルの選局を避ける。
【０００６】
さらに、下記の特許文献３に記載されているデジタル放送受信装置では、あるチャンネルの番組配列情報（ＰＡＴ（Program Association Table）およびＰＭＴ（Program Map Table））を所定期間受信して、番組配列情報の欠損発生状況を解析し、該解析結果に基づいて番組配列情報の受信可否を判断して、該判断結果に基づいてあるチャンネルの放送番組の有無をユーザに通知する。
【０００７】
【特許文献１】特開２００１−１７７７７８号公報
【特許文献２】特開２００６−２７０７７６号公報
【特許文献３】特開２００３−３４８４６６号公報
【発明の開示】
【発明が解決しようとする課題】
【０００８】
上述した特許文献１、２では、放送信号から各チャンネルの放送休止情報を検出するが、各チャンネルの番組放送の有無までは考慮していない。また、上述した特許文献３では、放送信号から各チャンネルの番組配列情報を検出するが、各チャンネルで通常行われる番組放送の有無までは考慮していない。一方、例えばイギリスのデジタルテレビ放送等では、１日中（２４時間）テレビ番組を放送していないテレビ放送用のチャンネルにおいて、テレビ番組の放送休止時に、番組を放送していない旨を知らせるＭＨＥＧ（Multimedia and Hypermedia information coding Experts Group）データ放送が行われ、該チャンネルの番組配列情報（ＰＡＴとＰＭＴ）の送信が行われる。この場合、チャンネルの順選局時に、上記チャンネルで通常放送されるテレビ番組を視聴できないにもかかわらず、特許文献１、２では上記チャンネルが放送中であると判断され、特許文献３では上記チャンネルが番組放送中であると判断されて、上記チャンネルが選局されてしまう。このため、例えばテレビ番組を放送中のチャンネルを選局して、該テレビ番組の映像が図７（ａ）に示すようにディスプレイに表示されている場合において、チャンネルアップキーを操作したときに、次に選局する予定のチャンネルが現在番組を放送していない旨を知らせるＭＨＥＧデータを放送中であるテレビ放送用のチャンネルであれば、該チャンネルが選局されて、該ＭＨＥＧデータ映像が図７（ｂ）に示すようにディスプレイに表示され、番組が放送されている所望のチャンネルへの切り替えに時間がかかる。
【０００９】
本発明は、以上の問題点を解決するものであって、その課題とするところは、チャンネルの順選局時に、番組が放送されている所望のチャンネルへの切り替えを迅速に行うことができるデジタル放送受信装置を提供することにある。
【課題を解決するための手段】
【００１０】
本発明では、デジタル放送の各チャンネルを選局し、各チャンネルの放送信号を受信する選局手段と、チャンネルを番号の順に選局する指示を入力する順選局指示手段と、放送信号を処理して映像ストリーム、音声ストリーム、データストリーム、および付帯情報を検出する検出手段と、映像ストリーム、音声ストリーム、およびデータストリームを処理して映像信号と音声信号を出力する出力手段とを備えたデジタル放送受信装置において、以下のような動作を行う。検出手段は、付帯情報から各チャンネルの放送形態と、各チャンネルの現在の番組のストリーム種別とを検出する。そして、順選局指示手段によるチャンネルの順選局指示の入力時に、次に選局する予定にある選局予定チャンネルの放送形態がテレビ放送若しくはラジオ放送でない場合、または選局予定チャンネルの放送形態がテレビ放送若しくはラジオ放送であり、かつ選局予定チャンネルの現在の番組のストリーム種別として映像ストリームと音声ストリームの少なくとも一方が検出された場合に、選局手段は選局予定チャンネルを選局する。また、選局予定チャンネルの放送形態がテレビ放送若しくはラジオ放送であり、かつ選局予定チャンネルの現在の番組のストリーム種別が検出されなかった場合、または該ストリーム種別としてデータストリームだけが検出された場合に、選局手段は選局予定チャンネルを選局せずに、選局予定チャンネルを次のチャンネルに切り替える。
【００１１】
このようにすると、デジタル放送のチャンネルの順選局時に、放送形態がデータ放送であるチャンネルと、放送形態がテレビ放送またはラジオ放送であって、テレビ番組またはラジオ番組が放送されているチャンネルとが選局されて、放送形態がテレビ放送またはラジオ放送であって、テレビ番組もラジオ番組も放送されていないチャンネルの選局がスキップされる（飛ばされる）ので、番組が放送されている所望のチャンネルへの切り替えを迅速に行うことができる。
【００１２】
また、本発明では、上記デジタル放送受信装置において、検出手段は、予め付帯情報から各チャンネルの放送形態を検出して、チャンネル毎に記憶手段に記憶する。
【００１３】
このようにすると、デジタル放送のチャンネルの順選局前に、各チャンネルの放送形態を示す情報を正確に検出して、記憶手段に記憶することができる。また、チャンネルの順選局時に、記憶手段に記憶している上記放送形態情報に基づいて、選局予定チャンネルの放送形態を正確に判断することができる。さらに、チャンネルの順選局時に、受信した放送信号の付帯情報から選局予定チャンネルの放送形態を検出する手間が省けるので、チャンネルの順選局処理にかかる時間を短縮して、番組が放送されている所望のチャンネルへの切り替えをより迅速に行うことができる。
【００１４】
また、本発明では、上記デジタル放送受信装置において、検出手段は、チャンネルの順選局指示の入力時に、選局予定チャンネルに対応する付帯情報から選局予定チャンネルの現在の番組のストリーム種別を検出する。
【００１５】
このようにすると、デジタル放送のチャンネルの順選局時に、選局予定チャンネルの現在の番組のストリーム種別を正確に検出して、選局予定チャンネルのテレビ番組またはラジオ番組の放送の有無を正確に判断することができる。
【００１６】
さらに、本発明の典型的な実施形態では、ＤＶＢ ＳＩ（Digital Video Broadcast Service Information）規格に準拠したデジタル放送の各チャンネルを選局し、各チャンネルの放送信号を受信する選局手段と、チャンネルを番号の昇順に選局する指示を入力するチャンネルアップキーと、チャンネルを番号の降順に選局する指示を入力するチャンネルダウンキーと、放送信号を処理してＴＳ（Transport Stream）を検出し、該ＴＳから映像ストリーム、音声ストリーム、ＭＨＥＧ（Multimedia and Hypermedia information coding Experts Group）データストリーム、およびＰＳＩ（Program Specific Information）／ＳＩ（Service Information）を検出する検出手段と、映像ストリーム、音声ストリーム、およびＭＨＥＧデータストリームを処理して映像信号と音声信号を出力する出力手段と、映像信号に基づく映像を表示する映像表示手段と、音声信号に基づく音声を出力する音声出力手段とを備えたデジタル放送受信装置において、以下のような動作を行う。検出手段は、起動時または定期的に、検出したＴＳのＳＩからＮＩＴ（Network Information Table）を検出し、該ＮＩＴから各チャンネルの放送形態を検出して、該情報をチャンネル毎に記憶手段に記憶する。また、検出手段は、チャンネルアップキーまたはチャンネルダウンキーによるチャンネルの順選局指示の入力時に、検出したＴＳのＰＳＩから次に選局する予定にある選局予定チャンネルのＰＭＴ（Program Map Table）を検出し、該ＰＭＴから選局予定チャンネルの現在の番組のストリーム種別を検出する。選局手段は、チャンネルの順選局指示の入力時に、選局予定チャンネルの放送形態がテレビ放送若しくはラジオ放送でない場合、または選局予定チャンネルの放送形態がテレビ放送若しくはラジオ放送であり、かつ選局予定チャンネルの現在の番組のストリーム種別として映像ストリームと音声ストリームの少なくとも一方が検出された場合に、選局予定チャンネルを選局する。また、選局手段は、チャンネルの順選局指示の入力時に、選局予定チャンネルの放送形態がテレビ放送若しくはラジオ放送であり、かつ選局予定チャンネルの現在の番組のストリーム種別が検出されなかった場合、または該ストリーム種別としてデータストリームだけが検出された場合に、選局予定チャンネルの選局をスキップして、選局予定チャンネルを次のチャンネルに切り替える。
【００１７】
このようにすると、デジタル放送のチャンネルの順選局時に、放送形態がデータ放送であるチャンネルと、放送形態がテレビ放送またはラジオ放送であって、テレビ番組またはラジオ番組が放送されているチャンネルとが選局されて、放送形態がテレビ放送またはラジオ放送であって、テレビ番組もラジオ番組も放送されていないチャンネルの選局がスキップされるので、番組が放送されている所望のチャンネルへの切り替えを迅速に行うことができる。また、番組が放送されていないチャンネルの不要な映像（砂あらし画像や番組を放送していない旨を知らせるＭＨＥＧデータ画像等）が映像表示手段に表示されず、該チャンネルの不要な音声（ノイズ音等）が音声出力手段から出力されないので、ユーザが該不要な映像や音声を視聴して、不快になったり煩わしくなったりするのを防止することができる。また、チャンネルの順選局前に、ＴＳのＳＩのＮＩＴから各チャンネルの放送形態を示す情報を正確に検出して、記憶手段に記憶することができる。特に、起動時または定期的に上記放送形態情報の検出記憶処理を行うことで、各チャンネルの放送形態が変更されても、上記放送形態情報を正確に更新して保持することができる。また、チャンネルの順選局時に、上記放送形態情報に基づいて選局予定チャンネルの放送形態を正確に判断することができる。また、チャンネルの順選局時に、ＴＳのＳＩのＮＩＴから選局予定チャンネルの放送形態を検出する手間が省けるので、該順選局処理にかかる時間を短縮して、番組が放送されている所望のチャンネルへの切り替えをより迅速に行うことができる。また、上記放送形態情報の検出記憶処理を、起動時に行って、以降の駆動中に行わないようにすることで、以降の駆動中に上記放送形態情報の検出と記憶にかかる手間を省くことができる。また、上記放送形態情報の検出記憶処理を定期的に行う期間を長くすることで、該処理にかかる時間と負担を軽減することができる。さらに、チャンネルの順選局時に、ＴＳのＰＳＩのＰＭＴから選局予定チャンネルの現在の番組のストリーム種別を正確に検出して、選局予定チャンネルのテレビ番組またはラジオ番組の放送の有無を正確に判断することができる。
【発明の効果】
【００１８】
本発明によれば、デジタル放送のチャンネルの順選局時に、番組が放送されている所望のチャンネルへの切り替えを迅速に行うことができる。
【発明を実施するための最良の形態】
【００１９】
図１は、本発明の実施形態に係るデジタル放送受信装置１００のブロック図である。デジタル放送受信装置１００は、ＤＶＢ ＳＩ（Digital Video Broadcast Service Information）規格に準拠したデジタル放送の各チャンネルの放送信号を受信して、各チャンネルで放送されている番組の映像を表示し音声を出力するテレビジョン受像機から成る。デジタル放送受信装置１００のサブ基板１には、チューナモジュールが構築されている。メイン基板２には、ＴＶ（テレビ）のメインシステムが構築されている。
【００２０】
チューナ３は、図示しないアンテナを介して取得したデジタル放送のＲＦ（Radio Frequency）信号から、各チャンネルに対応するＩＦ（Intermediate Frequency）信号を抽出して、デモジュレータ（Demod）４へ出力する。デモジュレータ４は、各チャンネルのデジタルのＩＦ信号を復調して、ＴＳ（Transport Stream）を検出し、該ＴＳをＣＩ（Common Interface）５を介してハイブリッドプロセッサ（以下、「プロセッサ」という。）６へ出力する。デモジュレータ４は、チューナ３に対して各チャンネルを選局するためのＡＧＣ信号を出力する。チューナ３とデモジュレータ４とは、ＩＩＣ（Inter Integrated Circuit）バスを介してデータ通信を行う。ＣＩ５には、デスクランブラを内蔵した図示しないＩＣカードが接続される。有料デジタル放送等のスクランブルされたＴＳは、ＣＩ５を介してＩＣカードのデスクランブラにより、そのスクランブルが解除される。
【００２１】
プロセッサ６は、デマルチプレクサ（Demux）、ＭＰＥＧ（Moving Picture Experts Group）デコーダ、ＭＨＥＧ（Multimedia and Hypermedia information coding Experts Group）デコーダ、グラフィックコントローラ（Graphic）、およびＣＰＵから成る。プロセッサ６は、デマルチプレクサによりＴＳからＭＰＥＧ−２形式の映像ストリーム、音声ストリーム、ＭＨＥＧデータストリーム、およびＰＳＩ（Program Specific Information）／ＳＩ（Service Information）を検出する。ＰＳＩ／ＳＩは、デジタル放送の各チャンネルの放送信号に含まれるプログラムの付帯情報である。プロセッサ６は、ＭＰＥＧデコーダまたはＭＨＥＧデコーダにより映像ストリームまたはＭＨＥＧデータストリームをデコードして、映像データを生成する。また、プロセッサ６は、グラフィックコントローラにより映像データに対して各種の画像処理を行って、映像信号をＡＶ ＳＷ（スイッチ）１０へ出力する（Video（CVBS、Y/C））。さらに、プロセッサ６は、ＭＰＥＧデコーダにより音声ストリームをデコードして、音声データを生成し、オーディオＤＡＣ（Digital Analog Converter）７へ出力する。オーディオＤＡＣ７は、音声データを音声信号に変換して、ＡＶ ＳＷ１０へ出力する（Audio（L、R））。
【００２２】
メモリ９は、ＥＥＰＲＯＭ、ＮＯＲ ＦＬＡＳＨ、およびＳＤＲＡＭ等から成る。メモリ９には、プロセッサ６でＴＳを処理するためのデータや、プロセッサ６のＣＰＵがチューナ３とデモジュレータ４とＣＩ５に接続されたＩＣカードをそれぞれ制御するためのデータ等が、予め記憶されていたり、随時記憶されたりする。プロセッサ６のＣＰＵは、メモリ９に対してデータの読み書きを行う。また、プロセッサ６のＣＰＵは、デモジュレータ４またはＣＩ５に接続されたＩＣカード対してＩＩＣバスを介してデータ通信を行う。
【００２３】
メイン基板２に設けられたマイクロコンピュータ（以下、「マイコン」という。）１１は、ＣＰＵ、メモリ１１ａ、およびタイマから成る。マイコン１１は、デジタル放送受信装置１００の各部を制御する。また、マイコン１１は、タイマにより日付と時間を計測する。また、マイコン１１は、チューナ３とデモジュレータ４により、デジタル放送の各チャンネルを選局し、該各チャンネルの放送信号（ＩＦ信号）を受信する。
【００２４】
プロセッサ６とマイコン１１とは、ＵＡＲＴ（Universal Asynchronous Receiver Transmitter）インタフェイスによりデータ通信を行う。プロセッサ６のＣＰＵは、ＰＳＩ／ＳＩ等の情報をマイコン１１へ送信する。マイコン１１は、ＳＩからＮＩＴ（Network Information Table）を検出し、ＰＳＩから各チャンネルに対応するＰＭＴ（Program Map Table）を検出する。ＮＩＴは、ネットワーク全体のサービス構成を示していて、デジタル放送の各チャンネルの放送形態（テレビ放送、ラジオ放送、データ放送）を示す情報（Service List Descriptorの中のservice type）を含んでいる。ＰＭＴは、番組を構成する各符号化信号を伝送するＴＳパケットのＰＩＤ（Packet ID）等を示していて、各チャンネル毎に設けられ、各チャンネルの現在の番組のストリーム種別（映像ストリーム、音声ストリーム、データストリーム）を示す情報（stream type）を含んでいる。マイコン１１は、ＮＩＴから各チャンネルの放送形態を検出し、ＰＭＴから各チャンネルの現在の番組のストリーム種別を検出する。
【００２５】
マイコン１１は、各種情報をプロセッサ６へ送信する。プロセッサ６は、グラフィックコントローラにより、マイコン１１から送信された各種情報に基づく映像データを生成し、該映像データをＭＰＥＧデコーダ等で生成した映像データに組み込むＯＳＤ（On Screen Display）処理を行う。このＯＳＤ処理により、ＥＰＧ（Electronic Program Guide）画面、メニュー画面、および各種設定画面の表示が可能となる。
【００２６】
ＡＶ ＳＷ１０には、チューナ３、プロセッサ６、およびオーディオＤＡＣ７からそれぞれ映像信号と音声信号が入力されるだけでなく、デジタル放送受信装置１００にケーブル等により接続された図示しない外部映像機器から映像信号（CVBS）と音声信号（Audio）が入力される。また、デジタル放送受信装置１００と外部映像機器との間で、映像信号と音声信号がＡＶ ＳＷ１０とＳＣＡＲＴ（Syndicat des Constructeurs d'Appareils Radiorecepteurs et Televiseurs）１、２インタフェイスを介して入出力される。ＡＶ ＳＷ１０は、スピーカ１５へ出力する音声信号と、スケーラ（Scaler）１３へ出力する映像信号を切り替える。
【００２７】
ＨＤＭＩ（High-Definition Multimedia Interface）レシーバ１２は、外部映像機器から入力されるコンポーネント（Component）信号またはＨＤＭＩ信号を受信して、スケーラ１３へ出力する。スケーラ１３は、ＡＶ ＳＷ１０またはＨＤＭＩレシーバ１２から入力される映像信号に対して、画像サイズ変換や画質調整等の画像処理を行った後、該映像信号をＬＶＤＳ（Low Voltage Differential Signaling）信号に変換して、ＬＣＤ（Liquid Crystal Display）モジュール１４へ出力する。
【００２８】
ＬＣＤモジュール１４は、入力されるＬＶＤＳ信号に基づいて映像を表示する。スピーカ１５は、入力される音声信号に基づいて音声を出力する。操作キー１６は、デジタル放送受信装置１００の本体前面に設置された操作パネルとリモートコントローラにそれぞれ設けられている。操作キー１６としては種々のものがあるが、その一例としてＣＨ ＵＰ（チャンネルアップ）キー１６ａとＣＨ ＤＯＷＮ（チャンネルダウン）キー１６ｂがある。ＣＨ ＵＰキー１６ａは、各チャンネルを番号の昇順に選局する指示を入力するために操作される。ＣＨ ＤＯＷＮキー１６ｂは、各チャンネルを番号の降順に選局する指示を入力するために操作される。
【００２９】
上記構成において、チューナ３とデモジュレータ４とマイコン１１は、本発明における選局手段の一実施形態を構成する。デモジュレータ４とプロセッサ６とマイコン１１は、本発明における検出手段の一実施形態を構成する。プロセッサ６とオーディオＤＡＣ７は、本発明における出力手段の一実施形態を構成する。ＬＣＤモジュール１４は、本発明における映像表示手段の一実施形態を構成する。スピーカ１５は、本発明における音声出力手段の一実施形態を構成する。ＣＨ ＵＰ／ＤＯＷＮキー１６ａ、１６ｂは、本発明における順選局指示手段の一実施形態を構成する。
【００３０】
図２は、ＣＨ（チャンネル）放送形態検出記憶処理の手順を示すフローチャートである。本処理は、マイコン１１がデジタル放送受信装置１００の各部を制御して実行する。マイコン１１は、デジタル放送受信装置１００の起動時にまたは定期的に、選局中のチャンネルの放送信号より検出したＴＳのＳＩから、ＮＩＴを検出する（ステップＳ１）。デジタル放送受信装置１００の起動時とは、電源スイッチがＯＮされて、各部が起動した時のことである。定期的とは、予め設定された一定期間が経過する毎にということである。ステップＳ１の開始タイミングは、デジタル放送受信装置１００の製造段階で予め設定されているが（初期タイミング）、ユーザがＬＣＤモジュール１４に表示される各種設定画面に従って操作キー１６を操作することで、自由に設定し変更することができる。選局中のチャンネルとは、予め設定されたデジタル放送の初期チャンネル、前回電源を切断する直前まで選局していたデジタル放送のチャンネル、またはユーザが操作キー１６を操作して選択したデジタル放送のチャンネル等のことである。ＮＩＴを検出すると、マイコン１１は、該ＮＩＴから各チャンネルの放送形態を検出して、該情報をチャンネル毎にメモリ１６ａに記憶し（ステップＳ２）、処理を終了する。
【００３１】
上記のようにＣＨ放送形態検出記憶処理を終了すると、メモリ１１ａには、例えば図３に示すようなＣＨ放送形態情報２０が記憶された状態となる。ＣＨ放送形態情報２０は、例えばデジタル放送の全チャンネルの放送形態が、テレビ放送、ラジオ放送、またはデータ放送のいずれであるかを示している。例えば７チャンネルと８チャンネルはテレビ放送チャンネルであり、６チャンネルと１０チャンネルはラジオ放送チャンネルであり、９チャンネルはデータ放送チャンネルであることを示している。ＣＨ放送形態検出記憶処理を繰り返し実行することで、ＣＨ放送形態情報２０が最新の情報に更新される。また、各チャンネルの放送形態は、一度定められると殆ど変わることがないので、ＣＨ放送形態検出記憶処理を定期的に実行する場合には、その一定期間を例えば半年や１年等の長い期間に設定しても、ＣＨ放送形態情報２０の正確さを保持することができる。
【００３２】
図４は、ＣＨ順選局処理の手順を示すフローチャートである。本処理は、マイコン１１がデジタル放送受信装置１００の各部を制御して実行する。デジタル放送受信装置１００の起動後に、ユーザ操作によりＣＨ ＵＰキー１６ａまたはＣＨ ＤＯＷＮ１６ｂの入力が有ると（ステップＳ１１：ＹＥＳ）、マイコン１１は、デジタル放送のチャンネルを番号の昇順または降順に選局する指示の入力が有ったと判断する。そして、マイコン１１は、次に選局する予定にある選局予定チャンネルを設定する（ステップＳ１２）。このとき、マイコン１１は、ＣＨ ＵＰ／ＤＯＷＮキー１６ａ、１６ｂによる順選局指示の入力時に選局中であったチャンネルの次に番号順で選局する予定にあるチャンネルを、選局予定チャンネルとして設定する。つまり、選局中にあるチャンネルの番号の次に大きなまたは小さな番号のチャンネルを、選局予定チャンネルとして設定する。
【００３３】
次に、マイコン１１は、メモリ１１ａに記憶しているＣＨ放送形態情報２０を参照し（ステップＳ１３）、選局予定チャンネルの放送形態がテレビ放送またはラジオ放送であるか否かを判定する（ステップＳ１４）。マイコン１１は、選局予定チャンネルの放送形態がデータ放送であれば（ステップＳ１４：ＮＯ）、選局予定チャンネルを選局して（ステップＳ２０）、処理を終了する。これにより、チューナ３で選局予定チャンネルの放送信号が受信され、デモジュレータ４で該放送信号からＴＳが検出され、プロセッサ６で該ＴＳからＭＨＥＧデータストリームが検出されて、該ＭＨＥＧデータストリームに基づく映像信号が出力され、該映像信号がＡＶ ＳＷ１０とスケーラ１３を介してＬＣＤモジュール１４へ入力され、選局予定チャンネルのデータ放送の映像がＬＣＤモジュール１４に表示される。
【００３４】
一方、マイコン１１は、選局予定チャンネルの放送形態がテレビ放送またはラジオ放送であれば（ステップＳ１４：ＹＥＳ）、選局予定チャンネルの放送信号からＴＳを検出し（ステップＳ１５）、該ＴＳのＰＳＩから選局予定チャンネルのＰＭＴを検出し（ステップＳ１６）、さらに該ＰＭＴから選局予定チャンネルの現在の番組のストリーム種別を検出する（ステップＳ１７）。
【００３５】
そして、マイコン１１は、上記選局予定チャンネルのＰＭＴに現在の番組のストリーム種別の情報が存在していないため、該ストリーム種別が検出できない（ステップＳ１８：ＮＯ）場合に、または、上記選局予定チャンネルのＰＭＴから現在の番組のストリーム種別を検出して（ステップＳ１８：ＹＥＳ）、該ストリーム種別がデータストリームだけである（ステップＳ１９：ＹＥＳ）場合に、選局予定チャンネルで現在テレビ番組またはラジオ番組が放送されていないと判断する。そして、マイコン１１は、選局予定チャンネルの選局をスキップし（飛ばし）（ステップＳ２１）、選局予定チャンネルを次のチャンネルに切り替える（ステップＳ２２）。つまり、ステップＳ１２で設定した選局予定チャンネルを選局せずに、該チャンネルの次に番号順で選局する予定にあるチャンネル（選局をスキップしたチャンネルの番号の次に大きなまたは小さな番号のチャンネル）を、選局予定チャンネルとして新たに設定する。この後、マイコン１１は、ＣＨ放送形態情報２０を参照して（ステップＳ１３）、ステップＳ２２で切り替えた選局予定チャンネルの放送形態がテレビ放送またはラジオ放送であるか否かを判定し（ステップＳ１４）、該判定結果に応じてステップＳ１５以降を繰り返し実行する。これにより、プロセッサ６での選局予定チャンネルのＴＳからの映像ストリームや音声ストリームの検出、プロセッサ６やオーディオＤＡＣ７での映像信号や音声信号の出力、ＬＣＤモジュール１４での選局予定チャンネルの不要な映像の表示、およびスピーカ１５からの選局予定チャンネルの不要な音声の出力がそれぞれ行われなくなる。選局予定チャンネルのＰＭＴから現在の番組のストリーム種別が検出できなかった（ステップＳ１８：ＮＯ）場合は、上記選局予定チャンネルの不要な映像は砂あらし画像等であり、不要な音声はノイズ音等である。また、選局予定チャンネルのＰＭＴから検出した現在の番組のストリーム種別がデータストリームだけであった（ステップＳ１９：ＹＥＳ）場合は、上記選局予定チャンネルの不要な映像は、番組を放送していない旨を知らせるＭＨＥＧデータ画像である。
【００３６】
一方、マイコン１１は、選局予定チャンネルのＰＭＴから検出した現在の番組のストリーム種別に、映像ストリームと音声ストリームの少なくとも一方が含まれている（ステップＳ１９：ＮＯ）場合には、選局予定チャンネルで現在テレビ番組またはラジオ番組が放送されていると判断する。そして、マイコン１１は、選局予定チャンネルを選局して（ステップＳ２０）、処理を終了する。これにより、プロセッサ６での選局予定チャンネルのＴＳからの映像ストリームや音声ストリームの検出、プロセッサ６やオーディオＤＡＣ７での映像信号や音声信号の出力、ＬＣＤモジュール１４での選局予定チャンネルのテレビ番組の映像の表示、およびスピーカ１５からの選局予定チャンネルのテレビ番組やラジオ番組の音声の出力が適宜行われる。
【００３７】
上記のＣＨ順選局処理によると、例えば図５に矢印で示すようにデジタル放送の６〜１０チャンネルの順選局が行われる。即ち、図５では、放送形態がラジオ放送である６チャンネルで、ストリーム種別として音声ストリームがあり、放送形態がテレビ放送である７チャンネルで、ストリーム種別として映像ストリームと音声ストリームがあり、放送形態がテレビ放送である８チャンネルで、ストリーム種別としてデータストリームだけがあり、放送形態がデータ放送である９チャンネルで、ストリーム種別としてデータストリームがあり、放送形態がラジオ放送である１０チャンネルで、ストリーム種別としてデータストリームだけがある時を例示している。この時、ＣＨ ＵＰキー１６ａによりチャンネルの昇順選局指示が入力されると、６チャンネルの次に７チャンネルが選局され、次に８チャンネルの選局がスキップされて９チャンネルが選局され、次に１０チャンネルの選局がスキップされるようになる。また、ＣＨ ＤＯＷＮキー１６ｂによりチャンネルの降順選局指示が入力されると、１０チャンネルの選局がスキップされて９チャンネルが選局され、次に８チャンネルの選局がスキップされて７チャンネルが選局され、次に６チャンネルが選局されるようになる。
【００３８】
以上によれば、デジタル放送のチャンネルの順選局時に、放送形態がデータ放送であるチャンネルと、放送形態がテレビ放送またはラジオ放送であって、テレビ番組またはラジオ番組が放送されているチャンネルとが選局されて、放送形態がテレビ放送またはラジオ放送であって、テレビ番組もラジオ番組も放送されていないチャンネルの選局がスキップされるので、番組が放送されている所望のチャンネルへの切り替えを迅速に行うことができる。
【００３９】
また、番組が放送されているチャンネルの映像（図７（ａ）に示したようなテレビ番組の映像等）がＬＣＤモジュール１４に表示され、番組が放送されていないチャンネルの不要な映像（砂あらし画像や、図７（ｂ）に示したような番組を放送していない旨を知らせるＭＨＥＧデータ画像等）がＬＣＤモジュール１４に表示されず、該チャンネルの不要な音声（ノイズ音等）がスピーカ１５から出力されないので、ユーザが該不要な映像や音声を視聴して、不快になったり煩わしくなったりするのを防止することができる。
【００４０】
また、デジタル放送のチャンネルの順選局前に、検出したＴＳのＳＩのＮＩＴから各チャンネルの放送形態を示すＣＨ放送形態情報２０を正確に検出して、メモリ１１ａに記憶することができる。特に、起動時または定期的に図２のＣＨ放送形態検出記憶処理を行うことで、各チャンネルの放送形態が変更されても、ＣＨ放送形態情報２０を正確に更新して保持することができる。また、デジタル放送のチャンネルの順選局時に、ＣＨ放送形態情報２０に基づいて選局予定チャンネルの放送形態を正確に判断することができる。また、ＣＨ放送形態検出記憶処理を、起動時に行って、以降の駆動中に行わないようにすることで、以降の駆動中にＣＨ放送形態情報２０の検出と記憶にかかる手間を省くことができる。また、ＣＨ放送形態検出記憶処理を定期的に行う期間を長くすることで、該処理にかかる時間と負担を軽減することができる。
【００４１】
さらに、デジタル放送のチャンネルの順選局時に、検出したＴＳのＰＳＩのＰＭＴから選局予定チャンネルの現在の番組のストリーム種別を正確に検出して、選局予定チャンネルのテレビ番組またはラジオ番組の放送の有無を正確に判断することができる。
【００４２】
本発明は、以上の実施形態以外にも種々の形態を採用することができる。例えば、以上の実施形態では、図２のＣＨ放送形態検出記憶処理を起動時または定期的に実行して、各チャンネルの放送形態を予め作成し更新する例を挙げているが、本発明はこれのみに限定するものではない。これ以外に、例えば図２のＣＨ放送形態検出記憶処理を省略して、図６に示すようにＣＨ順選局処理の中で選局予定チャンネルの放送形態を検出するようにしてもよい。図６中、図４と同一ステップには同一符号を付している。図６において、マイコン１１は、ＣＨ ＵＰ／ＤＯＷＮキー１６ａ、１６ｂの入力が有って（ステップＳ１１：ＹＥＳ）、選局予定チャンネルを設定すると（ステップＳ１２）、このとき選局中のチャンネルの放送信号より検出したＴＳのＳＩからＮＩＴを検出し（ステップＳ２３）、該ＮＩＴから選局予定チャンネルの放送形態を検出する（ステップＳ２４）。そして、マイコン１１は前述したようにステップＳ１４以降を実行する。このようにすると、マイコン１１のメモリ１１ａに各チャンネルの放送形態を示す情報を予め記憶しておく必要がないので、メモリ１１ａの記憶容量を少なくして、マイコン１１のコストを低く抑えたり、メモリ１１ａの記憶領域を他の処理のために有効活用したりすることができる。一方、図２のＣＨ放送形態検出記憶処理と図４のＣＨ順選局処理を実行した場合には、デジタル放送のチャンネルの順選局時に、ＴＳのＳＩのＮＩＴから選局予定チャンネルの放送形態を検出する手間が省けるので、ＣＨ順選局処理にかかる時間を短縮して、番組が放送されている所望のチャンネルへの切り替えをより迅速に行うことができる点で有利である。
【００４３】
また、以上の実施形態では、ＤＶＢ ＳＩ規格に準拠したデジタル放送を受信して、各チャンネルの放送番組の映像と音声を表示するテレビジョン受像機から成るデジタル放送受信装置１００に、本発明を適用した例を挙げたが、本発明はこれのみに限定するものではない。これ以外に、本発明は、例えば少なくともＤＶＢ ＳＩ規格またはその他の規格に準拠したデジタル放送を受信する、テレビジョン受像機、光ディスクレコーダ、ハードディスクレコーダ、セットトップボックス、またはこれらの少なくとも２つが一体になったＡＶ複合装置等のような、デジタル放送受信装置に適用することができる。
【図面の簡単な説明】
【００４４】
【図１】デジタル放送受信装置のブロック図である。
【図２】ＣＨ放送形態検出記憶処理の手順を示すフローチャートである。
【図３】ＣＨ放送形態情報を示す図である。
【図４】ＣＨ順選局処理の手順を示すフローチャートである。
【図５】チャンネルの順選局例を示す図である。
【図６】他の実施形態を示すフローチャートである。
【図７】従来のチャンネル順選局時の映像の表示例を示す図である。
【符号の説明】
【００４５】
３  チューナ
４  デモジュレータ
６  ハイブリッドプロセッサ
７  オーディオＤＡＣ
１１  マイクロコンピュータ
１１ａ  メモリ
１４  ＬＣＤモジュール
１５  スピーカ
１６ａ  ＣＨ ＵＰキー
１６ｂ  ＣＨ ＤＯＷＮキー
２０  ＣＨ放送形態情報
１００  デジタル放送受信装置
【図１】
2008294871.tif 000003
【図２】
2008294871.tif 000004
【図３】
2008294871.tif 000005
【図４】
2008294871.tif 000006
【図５】
2008294871.tif 000007
【図６】
2008294871.tif 000008
【図７】
2008294871.tif 000009